(57)【要約】【課題】  新たに通信回線を設けることなく、１本の通信回線を切り替え使用してセンター装置から遠隔監視装置へ必要な時に指示をすることができる遠隔監視システムを提供する。【解決手段】  設備やエレベータの異常を検出して異常情報を通信回線を介して遠隔のセンター装置４に通報するようにされた遠隔監視装置１に他の端末装置５が接続され、上記他の端末装置５との間で通信回線を切り替えて使用する遠隔監視システムにおいて、遠隔監視装置１が異常を検出した場合には、上記他の端末装置５による通信回線の使用状況を確認し、不使用時にダイヤリングしてセンター装置４に通信回線を接続し、異常情報を通報すると共に、センター装置４から遠隔監視装置１へ次回の通報時刻を送出して通信を終了し、上記通報時刻に遠隔監視装置１がセンター装置４へダイヤリングして通信回線を接続するようにした構成とする。【選択図】図１
2005151335.tif 000002
【特許請求の範囲】
【請求項１】
設備やエレベータの異常を検出して異常情報を通信回線を介して遠隔のセンター装置に通報するようにされた遠隔監視装置に他の端末装置が接続され、上記他の端末装置との間で上記通信回線を切り替えて使用するようにされた遠隔監視システムにおいて、上記遠隔監視装置が上記設備やエレベータの異常を検出した場合には、上記他の端末装置による上記通信回線の使用状況を確認し、不使用時にダイヤリングして上記センター装置に通信回線を接続し、異常情報を通報すると共に、上記センター装置から上記遠隔監視装置へ次回の通報時刻を送出して通信を終了し、上記通報時刻に上記遠隔監視装置が上記センター装置へダイヤリングして通信回線を接続するようにしたことを特徴とする遠隔監視システム。
【請求項２】
上記遠隔監視装置は、上記センター装置との通信が所定時間、行なわれていないことを検知した場合には、上記他の端末装置による通信回線の不使用時に上記センター装置へダイヤリングするようにしたことを特徴とする請求項１記載の遠隔監視システム。
【発明の詳細な説明】
【技術分野】
【０００１】
この発明は、遠隔監視装置が設備やエレベータの異常の発生を検出し、異常情報を通信回線を介して遠隔場所に設置された受信装置であるセンター装置に自動送出する遠隔監視システムに関するものである。
【背景技術】
【０００２】
図３は、従来の遠隔監視システムの概略構成を示すブロック図である。この図に示すように、遠隔監視装置１は図示しない設備やエレベータの運転状況に応じた監視信号２を受信し、監視信号２が設備やエレベータの異常を検知した異常情報である場合には、電話回線等の通信回線３を介して遠隔場所に設けられた受信装置であるセンター装置４に通報するものであるが、この遠隔監視装置１に電話機等の他の端末装置５が接続され、この端末装置５と信号を授受する他のセンター装置６とを接続する通信回線を遠隔監視装置１内で共有し、通信回線を切り替えて使用すると共に、所定の個所に設けられた交換機７によりそれぞれのセンター装置４、６に接続されるようになされている。
【０００３】
遠隔監視装置１内には、電話機等の他の端末装置５がオフフック状態かどうか、即ち、通信回線を使用し始めたか否かをチェックするフック検出回路８と、センター装置６からの着信を検出する着信検出回路９と、交換機７との間の通信回線を切り替えるリレー回路１０と、監視信号２を受信して異常情報を検出すると共に、上述したフック検出回路８、着信検出回路９及びリレー回路１０を制御する制御回路１１とを有する。
【０００４】
なお、リレー回路１０は交換機７に接続された切り替え接点１０Ａを、常時は着信検出回路９に接続された端子１０Ｂ側に接続しているが、着信検出回路９が着信を検出すると、制御回路側の端子１０Ｃに切り替え接続するようにされている。
【０００５】
次に、従来の遠隔監視システムにおいて、センター装置４と遠隔監視装置１との間及びセンター装置６と他の端末装置５との間で信号を授受する動作について図４のフローチャートを用いて説明する。
ステップＳ１で遠隔監視装置１の制御回路１１は、着信検出回路９がセンター装置４または６からの着信を検出したかどうかをチェックする。
【０００６】
着信を検出した場合には、ステップＳ８でリレー回路１０の切り替え接点１０Ａを制御回路側の端子１０Ｃに切り替え接続し、遠隔監視装置１とセンター装置４との通信回線を確立する。
その後、ステップＳ９で遠隔監視装置１とセンター装置４との通信を行ない、制御回路１１に受信されている監視信号２も送出されるため、監視信号２が設備やエレベータの異常を検出した異常情報である場合には、その内容がセンター装置４に伝達される。
遠隔監視装置１とセンター装置４との信号の授受が終了すると、ステップＳ７でリレー回路１０の切り替え接点１０Ａを着信検出回路９に接続された端子１０Ｂ側に切り替えて通信回線を切断する。
【０００７】
ステップＳ１で着信を検出していない場合には、ステップＳ２でセンター装置４へ通報すべき情報、例えば監視信号２が正常信号から異常信号へ変化した状態が発生しているかどうかをチェックする。発生している場合には、ステップＳ３で制御回路１１はフック検出回路８を介して他の端末装置５がオフフック状態かどうか、即ち、他の端末装置５が通信回線を使用している状態かどうかをチェックする。
【０００８】
他の端末装置５が通信回線を使用していない場合には、ステップＳ４でリレー回路１０の切り替え接点１０Ａを制御回路側の端子１０Ｃに切り替え接続する。その後、ステップＳ５で交換機７にダイヤリングし、通信回線をセンター装置４に接続する。
次いで、ステップＳ６で送出したい通報情報、即ち、異常情報である監視信号２をセンター装置４に送出し、その後、ステップＳ７でリレー回路１０の切り替え接点１０Ａを着信検出回路９に接続された端子１０Ｂに切り替え接続し、通信回線を切断する。（例えば特許文献１参照）。
【０００９】
【特許文献１】特開平０６−１０４９９８号公報（段落００１２−００２０、図１、図２）
【発明の開示】
【発明が解決しようとする課題】
【００１０】
従来の遠隔監視システムは以上のように構成されており、遠隔監視装置１にステップＳ８、Ｓ９で説明したように、着信応答機能があるため、他の端末装置である電話機５にセンター装置６から着信があった場合に、電話機５の受話器を取る前に遠隔監視装置１が応答し、リレー回路１０の切り替え接点１０Ａが制御回路１１側の端子１０Ｃに切り替わるため、センター装置６から電話機５へ電話をかけることができなくなる。
【００１１】
この結果、センター装置６から遠隔監視装置１へ電話による指示を出すことができなくなるため、電話機５を遠隔監視装置１とは別回線にする必要が生じ、電話の加入料金が高くなるという問題点があった。この場合、発信者番号通知を利用して発信者番号により応答したりしなかったりする解決方法もあるが、この場合には発信者番号を受信するための回路が必要になり、機器のコストが高くなることや、発信者番号サービスの加入費用が必要になるという問題点があった。
【００１２】
この発明は、上記のような問題点を解決するためになされたもので、新たに別の通信回線を設けることなく、１本の通信回線を切り替え使用してセンター装置から遠隔監視装置へ必要な時に指示をすることができる遠隔監視システムを提供することを目的とする。
【課題を解決するための手段】
【００１３】
この発明に係る遠隔監視システムは、設備やエレベータの異常を検出して異常情報を通信回線を介して遠隔のセンター装置に通報するようにされた遠隔監視装置に他の端末装置が接続され、上記他の端末装置との間で上記通信回線を切り替えて使用するようにされた遠隔監視システムにおいて、上記遠隔監視装置が上記設備やエレベータの異常を検出した場合には、上記他の端末装置による上記通信回線の使用状況を確認し、不使用時にダイヤリングして上記センター装置に通信回線を接続し、異常情報を通報すると共に、上記センター装置から上記遠隔監視装置へ次回の通報時刻を送出して通信を終了し、上記通報時刻に上記遠隔監視装置が上記センター装置へダイヤリングして通信回線を接続するようにしたものである。
【発明の効果】
【００１４】
この発明に係る遠隔監視システムは以上のように構成されているため、別回線を設けることなく１本の通信回線で、センター装置から遠隔監視装置へ必要な時に指示をすることができる。また、遠隔監視装置が電源リセットなどでセンター装置から通信の時刻設定をしていない時でも、所定時間後にセンター装置から指示を出すことが可能となる。
【発明を実施するための最良の形態】
【００１５】
実施の形態１．
以下、この発明の実施の形態１を図にもとづいて説明する。図１は、実施の形態１による遠隔監視システムの信号の流れを示す図である。
実施の形態１の遠隔監視システムとしての構成は図３と同様であるため、図示を省略する。機能としての特徴は、従来の遠隔監視システムにおける遠隔監視装置１の着信応答機能（図４におけるステップＳ８及びＳ９の機能）を持たせないようにすると共に、遠隔監視装置１からセンター装置４への通報終了後に、センター装置４から次回の通報時刻を送出し、その通報時刻に遠隔監視装置１からセンター装置４へダイヤリングして通信回線を接続するようにした点である。
【００１６】
詳細に説明すると、遠隔監視装置１の制御回路１１が監視信号２によって、図示しない設備またはエレベータの異常を認識し、センター装置４へ異常情報を通報しようとする場合には、従来の図４におけるステップＳ３と同様に、他の端末装置５がオフフック状態であるかどうかを確認し、他の端末装置５が通信回線を使用中でないことを確認した後、図４のステップＳ４で示すように、リレー回路１０の切り替え接点１０Ａを制御回路１１側の端子１０Ｃに切り替え、その後、図４のステップＳ５、図１のステップＳ１１で示すように、交換機７にダイヤリングし、図１のステップＳ１２で示すように、センター装置４に接続する。
【００１７】
センター装置４からは図１のステップＳ１３、Ｓ１４で示すように、交換機７経由で応答を受けることにより、遠隔監視装置１とセンター装置４との通信回線が確立される。
この状態で図４のステップＳ６、図１のステップＳ１５で示すように、遠隔監視装置１からセンター装置４へ異常情報を通報する。
ここまでの動作は従来のシステムと同様であるが、実施の形態１は、この後、センター装置４から遠隔監視装置１へ図１のステップＳ１６によって次回の通報時刻を送出して通信を終了する。
【００１８】
そして、センター装置４から送出された次回の通報時刻になると、遠隔監視装置１の制御回路１１が動作し、図１にステップＳ２１、Ｓ２２、Ｓ２３、Ｓ２４で示すように、上述のステップＳ１１〜Ｓ１４と同様に動作し、他の端末装置５が通信回線を使用していない状態であることを確認してセンター装置４との通信回線を確立し、図１にステップＳ２５で示すように、時刻通報を示す情報を交換機７を介してセンター装置４に送出する。
【００１９】
これによってセンター装置４は交換機７を介して遠隔監視装置１にステップＳ２６で示すように、指示情報を送出することができるようになり、例えば遠隔監視装置１内の情報を収集したり、データを変更したりすることが可能となる。
【００２０】
センター装置４は遠隔監視装置１への指示情報等の送出が完了すると、次回、遠隔監視装置１にアクセスしたい時刻を設定してステップＳ２７で示すように、次回通報時刻として送出した後、遠隔監視装置１との通信を終了して通信回線を切断する。
次回通報時刻になると、上述の動作を繰り返すことになる。
【００２１】
また、上述の動作を繰り返す途中で、監視信号２が正常信号から異常信号へ変化し、遠隔監視装置１の制御回路１１がこれを認識した場合には、その時点で、図１のステップＳ１１〜Ｓ１６の動作に移行し、センター装置４へ異常情報が通報されることになる。
【００２２】
実施の形態２．
次に、この発明の実施の形態２を図にもとづいて説明する。図２は、実施の形態２による遠隔監視システムの信号の流れを示す図である。
実施の形態２の特徴は、遠隔監視装置１とセンター装置４との通信が所定時間行なわれていない場合に、所定時間を経過した時点で遠隔監視装置１の制御回路１１が動作し、交換機７にダイヤリングしてセンター装置４との通信回線を確立し、通信ができるようにした点である。
【００２３】
即ち、遠隔監視装置１の制御回路１１は、センター装置４への通報が所定時間行なわれていないことを検知すると、その時点で動作して実施の形態１と同様に、先ず、従来の図４におけるステップＳ３で他の端末装置５がオフフック状態であるかどうかを確認し、他の端末装置５が通信回線を使用中でないことを確認した後、図４のステップＳ４で示すように、リレー回路１０の切り替え接点１０Ａを制御回路１１側の端子１０Ｃに切り替え、その後、図４のステップＳ５、図２のステップＳ３１で示すように、交換機７にダイヤリングし、図２のステップＳ３２で示すように、センター装置４に接続する。
【００２４】
センター装置４からは図２のステップＳ３３、Ｓ３４で示すように、交換機７経由で応答を受けることにより、遠隔監視装置１とセンター装置４との通信回線が確立される。
この状態で図４のステップＳ６、図２のステップＳ３５で示すように、遠隔監視装置１からセンター装置４へ所定時間通報がなかったことを示す情報を送出する。
これによってセンター装置４は交換機７を介して遠隔監視装置１にステップＳ３６で示すように、指示情報を送出することができるようになり、例えば遠隔監視装置１内の情報を収集したり、データを変更したりすることが可能となる。
【００２５】
センター装置４は遠隔監視装置１への指示情報等の送出が完了すると、次回、遠隔監視装置１にアクセスしたい時刻を設定してステップＳ３７で示すように、次回通報時刻として送出した後、遠隔監視装置１との通信を終了して通信回線を切断する。
次回通報時刻になると、上述の動作を繰り返すことになる。
【図面の簡単な説明】
【００２６】
【図１】この発明の実施の形態１による遠隔監視システムの信号の流れを示す図である。
【図２】この発明の実施の形態２による遠隔監視システムの信号の流れを示す図である。
【図３】従来の遠隔監視システムの概略構成を示すブロック図である。
【図４】従来の遠隔監視システムの動作を示すフローチャートである。
【符号の説明】
【００２７】
１  遠隔監視装置、      ２  監視信号、      ３  通信回線、      ４、６  センター装置、      ５  他の端末装置、      ７  交換機、      ８  フック検出回路、
９  着信検出回路、      １０  リレー回路、      １１  制御回路。
【図１】
2005151335.tif 000003
【図２】
2005151335.tif 000004
【図３】
2005151335.tif 000005
【図４】
2005151335.tif 000006